(57)【要約】【課題】デジタル動画像などのＡＶデータをファイルとしてディスク上に記録する場合に、記録されたディスクを容易に一般コンピュータで利用できるファイル管理方法を提供することを目的とする。【解決手段】ディスクの容量別に、記録可能な最大ファイル管理情報量を予め定めておき、（ｂ）に示すようにディスク初期化後に定められた最大ファイル管理情報量の一連続領域のダミーファイルを作成し、常にこの領域からファイル管理領域を割り当てることによって、コンピュータ上で使用される場合でもダミーファイルは認識されるため予約領域を保持でき、コンピュータでの使用後においても常にダミーファイルの領域からファイル管理領域を割り当てることで、ディスクアクセス効率低下を抑える。【選択図】      図２
2004302704.tif 000002
【特許請求の範囲】
【請求項１】
ディスク上に記録されるデータをファイルとして扱い、ファイルと、ファイルを管理するファイル管理情報を有するファイル管理方法であって、
予め、ディスクの容量別に記録可能な最大ファイル数を定めておくステップと、
前記最大ファイル数の記録に必要な最大ファイル管理情報量を算出するステップと、
前記最大ファイル管理情報量をファイルにし、これをダミーファイルとするステップと、
論理的初期化済みの状態である前記ディスクの未記録領域に前記ダミーファイルのファイル管理情報を記録し、ダミーファイルの領域を確保するステップと、
任意のファイル数記録時に、作成される新規ファイル管理情報に必要な領域分のみ、前記ダミーファイルを開放し、開放された領域に前記新規ファイル管理情報を記録するステップと、
任意のファイル数消去時には、消去するファイルのファイル管理情報を消去し、消去によって開放された領域を前記ダミーファイルの一部の領域として記録するステップと
を有することを特徴とするファイル管理方法。
【請求項２】
ディスク上に記録されるデータをファイルとして扱い、ファイルと、ファイルを管理するファイル管理情報を有するファイル管理方法であって、
予め、前記ディスクの容量別に記録可能な最大ファイル数を定めておくステップと、
前記最大ファイル数の記録に必要な最大ファイル管理情報量を算出するステップと、
前記最大ファイル管理情報量をファイルにし、これをダミーファイルとするステップと、
論理的初期化時に記録されているファイル管理領域に続く領域に前記ダミーファイルのファイル管理情報を記録し、ダミーファイルの領域を確保するステップと、
任意のファイル数記録時に、作成される新規ファイル管理情報に必要な領域分のみ、前記ダミーファイルを開放し、開放された領域に前記新規ファイル管理情報を記録するステップと、
任意のファイル数消去時には、消去するファイルのファイル管理情報を消去し、消去によって開放された領域を前記ダミーファイルの一部の領域として記録するステップと
を有することを特徴とするファイル管理方法。
【請求項３】
論理的初期化済みの状態である前記ディスクの未記録領域に前記ダミーファイルと前記ダミーファイルのファイル管理情報を記録するステップは、
前記ディスクの論理的な初期化の直後に行う
ことを特徴とする
請求項１に記載のファイル管理方法。
【請求項４】
論理的初期化時に記録されているファイル管理領域に続く領域に前記ダミーファイルのファイル管理情報を記録するステップと、論理的初期化済みの状態である前記ディスクの未記録領域に前記ダミーファイルを記録するステップは、
前記ディスクの論理的な初期化の直後に行う
ことを特徴とする
請求項２に記載のファイル管理方法。
【請求項５】
前記ディスクの容量別に記録可能な最大ファイル数を定めておくステップを、前記ディスクの容量別に記録可能な最大ファイル数を定め、前記最大ファイル数から１ファイル数引いた数を最大ファイル数とするステップにする
ことを特徴とする請求項１，請求項３の何れかに記載のファイル管理方法。
【請求項６】
前記ディスクの容量別に記録可能な最大ファイル数を定めておくステップを、前記ディスクの容量別に記録可能な最大ファイル数を定め、前記最大ファイル数から１ファイル数引いた数を最大ファイル数とするステップにする
ことを特徴とする請求項２，請求項４の何れかに記載のファイル管理方法。
【請求項７】
前記ディスクの任意のファイル数記録時に、作成される新規ファイル管理情報に必要な領域分のみ、前記ダミーファイルから開放し、開放された領域に前記新規ファイル管理情報を記録するステップでは、
前記ダミーファイルの領域がすべて開放され、前記新規ファイル管理情報によってすべて記録済みとなった場合、記録領域の無いファイルとして前記ダミーファイルの管理情報を更新することを特徴とする
請求項５記載のファイル管理方法。
【請求項８】
前記ディスクの任意のファイル数記録時に、作成される新規ファイル管理情報に必要な領域分のみ、前記ダミーファイルから開放し、開放された領域に前記新規ファイル管理情報を記録するステップにおいて、
前記ダミーファイルの領域がすべて開放され、前記新規ファイル管理情報によってすべて記録済みとなった場合、記録領域の無いファイルとして前記ダミーファイルの管理情報を更新する
ことを特徴とする請求項６のファイル管理方法。
【請求項９】
他のデータ記録装置によって前記ダミーファイルの削除又は記録領域変更を防止する保護機能を施した
請求項１または請求項２記載のファイル管理方法。
【請求項１０】
前記ディスクの容量別に記録可能な最大ファイル数を定めておくステップを、前記ディスクの容量別に記録可能な最大ファイル数を定め、最大記録ファイル数のファイルを記録した場合であってもダミーファイルが残されるようにダミーファイルを確保するよう構成し、
ディスクの挿入が認識された場合に前記ダミーファイルの有無からダミーファイルの管理情報の有り無しを検出し、新たに認識したディスクにダミーファイルが存在すれば、継続してファイル管理情報のための領域を一連続した領域に確保してファイル情報検索時のディスクアクセス効率低下を防止する
ことを特徴とする請求項１または請求項２記載のファイル管理方法。
【請求項１１】
請求項１，請求項２のいずれかに記載のファイル管理方法を実行するに必要なプログラムが記録された記録媒体。
【請求項１２】
請求項１，請求項２のいずれかに記載のファイル管理方法を実行するプログラム。
【請求項１３】
記録媒体であるディスクのドライブ装置であるディスク記録再生手段に対して、前記ディスク記録再生手段に対するコマンド発行やデータ転送処理を行う入出力処理手段と、ファイル管理システム手段を介してデータの再生・記録を実施するファイル管理機能付き記録再生装置であって、
前記ファイル管理システム手段は、
ディスクの容量別に記録可能な最大ファイル数を定めておき、前記最大ファイル数の記録に必要な最大ファイル管理情報量を算出し、前記最大ファイル管理情報量をファイルにしこれをダミーファイルとし、論理的初期化済みの状態である前記ディスクの未記録領域に前記ダミーファイルのファイル管理情報を記録しダミーファイルの領域を確保し、任意のファイル数記録時に、作成される新規ファイル管理情報に必要な領域分のみ、前記ダミーファイルを開放し、開放された領域に前記新規ファイル管理情報を記録し、任意のファイル数消去時には、消去するファイルのファイル管理情報を消去し、消去によって開放された領域を前記ダミーファイルの一部の領域として記録するよう構成した
ファイル管理機能付き記録再生装置。
【発明の詳細な説明】
【０００１】
【発明の属する技術分野】
本発明は、ディスク記録再生装置において、データをファイルとしてディスクに記録するファイル管理方法に係り、特にデジタル画像等のＡＶデータをリアルタイム記録する時に、ＡＶデータをファイルとして記録すると共に領域管理情報や記録するファイルの管理情報を生成及び記録するファイル管理方法に関するものである。
【０００２】
【従来の技術】
近年、光ディスクを記録媒体としたデジタル動画等のＡＶデータを記録する一般家庭用ビデオ記録装置などの普及が進んでおり、記録されたデータはディスクを介してパーソナルコンピュータに取り込まれ、コンピュータ上の操作によってＡＶデータの編集等が行われてきている。
【０００３】
このため、一般のコンピュータ上での操作も前提としたＡＶデータ用記録媒体においては、記録されるデータがファイルとして管理され、その管理情報も記録されている。
【０００４】
従来例においては、ファイル管理領域を連続的に記録するのに十分な領域を確保し、ファイル管理領域は常にこの連続領域に記録するというものがある（例えば特許文献１参照）。
【０００５】
【特許文献１】
特開２００２−７４８５１号公報（第３頁、第２図）
【０００６】
【発明が解決しようとする課題】
コンピュータでの利用を前提としたディスクのファイル管理システムには、コンピュータで記録データを容易に参照できるように、コンピュータで標準的に利用されているファイル管理システムを用いることが望ましい。
【０００７】
そして、これらコンピュータで使用されてきたファイル管理システムでは、コンピュータ上で扱う多種・多様なデータファイルと他のコンピュータとの互換性の確保と記録領域の効率的な割り当てを優先させているため、ファイル生成時に必要な領域だけを未記録領域から確保し、ファイル削除時に開放する領域は未記録領域として取り扱うものである。
【０００８】
従来例においては、ＡＶデータ用機器で使用する記録媒体にファイル管理領域を連続的に記録するのに十分な領域を確保し、ファイル管理領域は常に該連続領域に記録するというものがあるが、その記録媒体（ディスク等）を標準的なファイル管理システムが使用されている従来のコンピュータの記録再生装置で使用した場合、データを再生できないことが考えられる。
【０００９】
また仮にデータを再生できたとしても、データの再生の不具合はないが、記録される場合に、予約領域が確保できず、その領域が消去されたり別のデータが記録され、その結果、ファイル管理領域および付加情報ファイルが分断されて記録されることになり、ディスクアクセス性能が低下する問題もある。
【００１０】
本発明はＡＶデータなどのリアルタイム記録において、一般のパソコンに使用されているファイル管理システムを用いても、記録済みの記録媒体（ディスク等）を再生でき、しかもディスクアクセス性能の低下もないファイル管理方法を提供することを目的とする。
【００１１】
【課題を解決するための手段】
前記課題を解決するために、本発明のファイル管理方法は、ディスク上に記録されるデータをファイルとして扱い、ファイルと、ファイルを管理するファイル管理情報を有するファイル管理方法であって、予め、ディスクの容量別に記録可能な最大ファイル数を定めておくステップと、前記最大ファイル数の記録に必要な最大ファイル管理情報量を算出するステップと、前記最大ファイル管理情報量をファイルにし、これをダミーファイルとするステップと、論理的初期化済みの状態である前記ディスクの未記録領域に前記ダミーファイルのファイル管理情報を記録しダミーファイルの領域を確保するステップと、任意のファイル数記録時に、作成される新規ファイル管理情報に必要な領域分のみ、前記ダミーファイルを開放し、開放された領域に前記新規ファイル管理情報を記録するステップと、任意のファイル数消去時には、消去するファイルのファイル管理情報を消去し、消去によって開放された領域を前記ダミーファイルの一部の領域として記録するステップを行うことを特徴とする。
【００１２】
この構成によれば、初期化されたディスクの任意の場所にファイル管理情報のための最大領域を確保可能なファイル管理を実現できる。
また本発明のファイル管理方法は、ディスク上に記録されるデータをファイルとして扱い、ファイルと、ファイルを管理するファイル管理情報を有するファイル管理方法であって、予め、前記ディスクの容量別に記録可能な最大ファイル数を定めておくステップと、前記最大ファイル数の記録に必要な最大ファイル管理情報量を算出するステップと、前記最大ファイル管理情報量をファイルにし、これをダミーファイルとするステップと、論理的初期化時に記録されているファイル管理領域に続く領域に前記ダミーファイルのファイル管理情報を記録し、ダミーファイルの領域を確保するステップと、任意のファイル数記録時に、作成される新規ファイル管理情報に必要な領域分のみ、前記ダミーファイルを開放し、開放された領域に前記新規ファイル管理情報を記録するステップと、任意のファイル数消去時には、消去するファイルのファイル管理情報を消去し、消去によって開放された領域を前記ダミーファイルの一部の領域として記録するステップとを有することを特徴とする。
【００１３】
この構成によれば、ファイル管理情報のための領域を一連続した領域に確保可能でであり、ファイル情報検索時のディスクアクセス効率低下を防止するファイル管理を実現できる。
【００１４】
また本発明のファイル管理方法は、論理的初期化済みの状態である前記ディスクの未記録領域に前記ダミーファイルと前記ダミーファイルのファイル管理情報を記録する前記ステップは、前記ディスクの論理的な初期化の直後に行うことを特徴とする。
【００１５】
この構成によれば、初期化された状態ディスクの任意の場所にファイル管理情報のための最大領域を確実に確保する。また、ファイル管理情報のための領域を一連続した領域に確実に確保し、ファイル情報検索時のディスクアクセス効率低下を防止できる。
【００１６】
また本発明のファイル管理方法は、ディスクの容量別に記録可能な最大ファイル数を定めておく前記ステップを、前記ディスクの容量別に記録可能な最大ファイル数を定め、前記最大ファイル数から１ファイル数引いた数を最大ファイル数とするステップにすることを特徴とする。
【００１７】
この構成によれば、初期化されたディスクの任意の場所にファイル管理情報のための最大領域を確保可能であり、且つデータ記録のための領域を最大にする。
また、ファイル管理情報のための領域を一連続した領域に確保可能であり、ファイル情報検索時のディスクアクセス効率低下を防止し、且つデータ記録のための領域を最大にする。
【００１８】
また、ファイル管理情報のための最大領域を確実に確保し、且つデータ記録のための領域を最大にする。
また、ファイル管理情報のための領域を一連続した領域に確実に確保し、ファイル情報検索時のディスクアクセス効率低下を防止し、且つデータ記録のための領域を最大にすることができる。
【００１９】
また、本発明のファイル管理方法は、ディスクの任意のファイル数記録時に、作成される新規ファイル管理情報に必要な領域分のみ、前記ダミーファイルから開放し、開放された領域に前記新規ファイル管理情報を記録する前記ステップにおいて、前記ダミーファイルの領域がすべて開放され、前記新規ファイル管理情報によってすべて記録済みとなった場合、記録領域の無いファイルとして前記ダミーファイルの管理情報を更新することを特徴とする。
【００２０】
この構成によれば、一度最大ファイル数を記録された後にファイルが削除された場合でも、そのままファイル管理情報のための最大領域を保持し、且つデータ記録のための領域を最大にする。
【００２１】
また、一度最大ファイル数を記録された後にファイルが削除された場合でも、そのままファイル管理情報のための領域を一連続した領域に保持し、ファイル情報検索時のディスクアクセス効率低下を防止し、且つデータ記録のための領域を最大にする。
【００２２】
また、一度最大ファイル数を記録された後にファイルが削除された場合でも、そのままファイル管理情報のための最大領域を保持し、且つデータ記録のための領域を最大にできる。
【００２３】
また、一度最大ファイル数を記録された後にファイルが削除された場合でも、そのままファイル管理情報のための領域を一連続した領域に確実に確保し、ファイル情報検索時のディスクアクセス効率低下を防止し、且つデータ記録のための領域を最大にできる。
【００２４】
また本発明のファイル管理方法は、他のデータ記録装置によって前記ダミーファイルの削除又は記録領域変更を防止する保護機能を施すことを特徴とする。
この構成によれば、初期化されたディスクの任意の場所にファイル管理情報のための最大領域を確保可能であり、利用者の操作によって確保した領域の開放及び移動を防止する。
【００２５】
また、ファイル管理情報のための領域を一連続した領域に確保可能であり、ファイル情報検索時のディスクアクセス効率低下を防止し、さらに利用者の操作によって確保した領域の開放及び移動を防止できる。
【００２６】
また本発明のファイル管理方法は、前記ディスクが存在することを認識するステップと、ディスクの挿入が認識された場合に前記ダミーファイルの有無を検知するステップとを有することを特徴とする。
【００２７】
この構成によれば、新たに認識したディスクにダミーファイルが存在すれば、継続してファイル管理情報のための最大領域を確保可能である。また、一度最大ファイル数を記録された後、ディスクを一度装置からディスクを排出して、また挿入してもダミーファイルの管理情報の有り無しを検出でき、新たに認識したディスクにダミーファイルが存在すれば、継続してファイル管理情報のための領域を一連続した領域に確保可能であり、ファイル情報検索時のディスクアクセス効率低下を防止できる。
【００２８】
【発明の実施の形態】
以下、本発明の各実施の形態を図１〜図６に基づいて説明する。
（実施の形態１）
図１〜図５は本発明の（実施の形態１）を示す。
【００２９】
図１は本発明のファイル管理方法を実行するファイル管理機能付き記録再生装置を示す。
ディスク記録再生手段１１は記録媒体である光ディスク等のドライブ装置であり、入出力処理手段１２は、ディスク記録再生手段１１に対するコマンド発行やデータ転送処理を行うところである。
【００３０】
ファイル管理システム手段１３は、記録媒体上のファイル情報や記録領域情報の管理を行うところであり、基本的な管理方法は、一般のコンピュータで利用されているファイル管理システムを用いる。
【００３１】
ユーザーインターフェイス手段１４は、使用者の操作に応じてデータの再生・記録等の要求を作成するところである。
このような構成において、データの再生時には、ユーザーインターフェイス手段１４からファイル管理システム手段１３に対して、再生対象となるデータファイルの指定や再生の要求が送られる。
【００３２】
要求を受けたファイル管理システム手段１３は、光ディスクに記録されているファイル管理情報から再生ファイルの記録位置を取得し、その位置情報を指定した再生要求を入出力処理手段１２に対して送る。
【００３３】
次に入出力処理手段１２は、受け取った再生要求をディクス記録再生手段１１に対して発行し、ディクス記録再生手段１１は、挿入されている光ディスクから指定された記録位置のデータをリードし、リードされたデータはディクス記録再生手段１１から入出力処理手段１２に転送される。
【００３４】
データの記録時には、ユーザーインターフェイス手段１４からファイル管理システム手段１３に対して、記録対象となるデータファイルの指定や記録の要求が送られる。
【００３５】
ファイル管理システム手段１３は、ファイル管理情報を元にデータ記録位置を決定し、入出力処理手段１２に対して該当領域への書き込み要求を送る。次に入出力処理手段１２は、書き込み要求をディクス記録再生手段１１に対して発行し、ディクス記録再生手段１１は、入出力処理手段１２から転送されてくるデータをディスク上の該当領域に記録する。
【００３６】
以下に、ファイル管理システム手段１３の構成を、具体的なファイル管理方式に基づいて説明する。
まず、図２（ａ）は、本発明で使用するディスクを論理的に初期化を行った場合には自動的に続いて、前記ディスクの未記録領域に、ダミーファイルと、このダミーファイルのファイル管理情報を記録するステップが自動的に実行された記録状態を模式的に示した図である。
【００３７】
図２（ａ）のファイル管理領域は、仮にＬＢＮ（論理ブロック値：Ｌｏｇｉｃａｌ  Ｂｌｏｃｋ  Ｎｕｍｂｅｒ）＝０からＬＢＮ＝９９までの領域に記録されており、ディスク領域全体の使用状況を表すディスク領域使用状態情報と、ルートディレクトリに関する情報などが含まれ、ファイルは一つも記録されていない。続くＬＢＮ＝１００からの領域は未記録領域である。
【００３８】
ここで、本実施例で使用するディスクの最大記録ファイル数を、光ディスクの容量に応じて、仮に“４００”とする（第１ステップ）。また、基本となるファイル管理システムが、領域全体の使用状況を表す単位をＬＢＮ（Ｌｏｇｉｃａｌ  Ｂｌｏｃｋ  Ｎｕｍｂｅｒ）とし、１つのファイルの管理情報を記録するためには、仮に常に１ＬＢＮブロック必要とするものとする。よって、このディスクでの最大記録ファイル数のファイル管理情報記録に必要なＬＢＮブロック数は“４００”となる（第２ステップ）。
【００３９】
図２（ａ）の状態からダミーファイルの作成手順を、図２（ｂ）を用いて説明する。
まず、仮に未記録領域の先頭のＬＢＮ＝１００ブロックをダミーファイルに関するファイル管理情報領域とし、続くＬＢＮ＝１０１からＬＢＮ＝４９９の最大記録ファイル数“４００”より“１”ファイル数引いた“３９９”ブロック分を、一つのダミーファイルの記録領域として割り当て記録済み領域とするため、ファイル管理領域としたＬＢＮ＝０からＬＢＮ＝９９の領域内のディスク領域使用状態情報を、ダミーファイルとした領域であるＬＢＮ＝１０１からＬＢＮ＝４９９を記録済み領域に更新し（第３ステップ）、そしてＬＢＮ＝１００にあるダミーファイルの管理情報中の使用領域情報をＬＢＮ＝１０１からＬＢＮ＝４９９を記録済みに更新する（第４ステップ）。
【００４０】
なお、この論理的初期化済みの状態である前記ディスクの未記録領域に前記ダミーファイルと前記ダミーファイルのファイル管理情報を図２（ｂ）に示すように記録するステップは、初期化に続いて自動的に実行される。
【００４１】
そして、ダミーファイルに続く論理ブロック値＝５００以降の領域が未記録領域になる。
ここで、ダミーファイル領域のＬＢＮブロックの構成順序は、ダミーファイルの先頭ブロックがＬＢＮ＝４９９ブロックになり、以降、ダミーファイルのデータを末尾に行くに従ってＬＢＮの降順に連続してＬＢＮを割り当てる。
【００４２】
図２（ｂ）の状態から、仮に“Ｆ１”というファイルを作成する時の手順を、図３（ａ）（ｂ）を用いて説明する。なお、図３（ａ）は図２（ｂ）と同じである。
【００４３】
まず、図３（ｂ）に示すように“Ｆ１”のファイル管理情報を作成し、Ｆ１ファイルの記録が始めると、未記録領域の先頭の論理ブロック値＝５００から連続した領域にデータの記録を行い、記録が終了した時点でＦ１ファイルの管理情報が確定する。そして、ここでは仮にダミーファイルの最後尾ブロックであるＬＢＮ＝１０１のブロックをダミーファイルの領域から一旦解放することにより、ダミーファイルのサイズを１ブロック分解放し、解放により未記録領域にしたブロックをファイル管理情報領域とし、このブロックにＦ１ファイルの管理情報を記録する（第５ステップ）。
【００４４】
上記を、さらにファイル管理情報とダミーファイルの管理情報の変化について詳しく説明する。
ＬＢＮ＝１００にあるダミーファイルの管理情報中の使用領域情報からＬＢＮ＝１０１を未記録領域にし、そしてファイル管理領域としたＬＢＮ＝０からＬＢＮ＝９９の領域内のディスク領域使用状態情報におけるダミーファイルとした領域であるＬＢＮ＝１０１の情報を未記録領域となる様に更新する。
【００４５】
Ｆ１ファイルの記録を始めると、未記録領域の先頭のＬＢＮ＝５００から連続した領域にＦ１ファイル自体（データ部）の記録を行い、記録が終了した時点でＦ１ファイルの管理情報が確定する。Ｆ１ファイルの管理情報を作成し、その管理情報をＬＢＮ＝１０１に記録する。そして、ＬＢＮ＝０からＬＢＮ＝９９の領域内のディスク領域使用状態情報におけるＬＢＮ＝１０１は記録済み領域とし、また、Ｆ１ファイルのデータ部が記録した領域を記録済み領域とし、そしてダミーファイルの管理情報中の使用領域情報をＬＢＮ＝１０２からＬＢＮ＝４９９が記録済み領域なる様に更新する。そして、前記ディスク領域使用状態情報にＬＢＮ＝１０２は記録済み領域とする。
【００４６】
さらに続けて、データファイルの作成を繰り返し、全部で仮にｎ個のファイルを記録した場合のファイル管理領域及びダミーファイルの記録領域を図３（ｃ）に示す。
【００４７】
これは図３（ｂ）を用いたファイル生成時の説明と同様に、それぞれ新たに作成されたＦ２からＦｎのファイル管理情報がダミーファイルの最後尾ブロックから順次記録する。
【００４８】
次に、図４（ａ）（ｂ）を用いて、仮に図３（ｃ）の状態から仮にＦ１ファイルとＦ３ファイルを続けて削除する場合の手順を説明する。なお、図４（ａ）は図３（ｃ）と同じである。
【００４９】
まず、Ｆ１ファイルの管理情報から該当するデータ領域を求め、当該データ領域を未記録状態にする。そして、Ｆ１ファイルの管理領域を消去し、消去によって未記録状態にされたＬＢＮ＝１０１のブロックをダミーファイルの領域の最後尾ブロックとして記録する（第６ステップ）。
【００５０】
上記をさらにファイル管理情報とダミーファイルの管理情報の変化について詳しく説明すると、ＬＢＮ＝０からＬＢＮ＝９９の領域内のディスク領域使用状態情報をＦ１ファイルのデータ部が記録されている記録領域の情報、及びＦ１ファイルのファイル管理情報の領域であるＬＢＮ＝１０１の情報を未記録領域となる様に更新し、さらに未記録領域となったＬＢＮ＝１０１をダミーファイルの領域に確保するためＬＢＮ＝１０１を記録済みとして再度更新する。また、ＬＢＮ＝１００に記録されているダミーファイルのファイル管理情報中の使用領域情報も、ダミーファイルの領域として確保される領域であるＬＢＮ＝１０１をダミーファイルの最後尾ブロックとして記録済み領域になるように更新する。そして、続けてＦ３ファイルも同様に消去する。このとき、ダミーファイルの領域として追加記録されるＬＢＮ＝１０３ブロックは、ダミーファイルの論理ブロックが常に降順になるように割り当てる。よって、最後尾のブロックはＬＢＮ＝１０１で、ＬＢＮ＝１０３ブロックは、最後尾から２番目のブロックになる。
【００５１】
上記を、さらにファイル管理情報とダミーファイルの管理情報の変化について詳しく説明すると、ＬＢＮ＝０からＬＢＮ＝９９の領域内に記録されているファイル管理情報にはディスク領域全体の使用状況を表すディスク領域使用状態情報があり、このディスク領域使用状態情報をＦ３ファイルのデータ部が記録されている記録領域情報、及びＦ３ファイルのファイル管理情報の領域であるＬＢＮ＝１０３の情報を未記録領域となる様に更新し、さらに未記録領域となったＬＢＮ＝１０３をダミーファイルの領域に確保するためＬＢＮ＝１０３を記録済みとして再度更新し、また、ＬＢＮ＝１００に記録されているダミーファイルのファイル管理情報中の使用領域情報も、ダミーファイルの領域として確保される領域であるＬＢＮ＝１０３をダミーファイルの最後尾から２番目のブロックとして記録済み領域になるように更新する。
【００５２】
また、図５は、仮に記録可能な最大ファイル数を記録したときの状態である。ＬＢＮ＝１０１からＬＢＮ＝４９９は、記録済みのファイル管理情報が記録されているため、ダミーファイルは記録領域を持たないファイルとしてファイル管理情報に記録する。
【００５３】
なお、図２（ａ）から図５に記載のダミーファイルの領域には、何らかのデータが記録されたかの様に見えるが、本発明において何らかのデータを記録しても良いし、何も記録しなくすることも可能である。
【００５４】
また、本実施の形態において、記録されたダミーファイルのファイル管理情報に記載されるファイル属性やファイル名を、一般利用者から容易に参照または変更できないものを設定することも可能である。例えば、ファイル名に「このファイルは削除しないでください」等の警告を表示が出る様にダミーファイルの生成を行う。また例えば、ファイル名に使用する文字コードに特殊な文字コードを記録することで、利用者からは参照できなくしたり、ダミーファイルのファイル管理情報内の利用者権限情報を特定利用者以外は参照できないよう記録したりすることにより、本発明の一実施の形態で示す以外のディスク記録再生装置において本発明を実施したディスクが使用された場合に、ダミーファイル領域の確保ができる。
【００５５】
また、ディスク記録再生装置１１へのディスクの挿入を確認するステップを設け、このステップにおいてディスクの挿入が認識された場合に前記ダミーファイルの有無を検知するステップを設けて、ディスクのダミーファイルの有無を調べ、ダミーファイルの管理情報の変更を調べ、その結果をユーザーインターフェイス手段１４に通知することにより、ダミーファイルが無い場合やダミーファイルの管理情報が所定の情報と異なる場合には、他の記録装置によってダミーファイルが消去または変更されている可能性があることを利用者に知らせることができる。
【００５６】
なお、本発明の構成はパソコンと情報記録再生装置と本発明の方法を用いたアプリケーションでも実施可能である。
また、上記の実施の形態では、論理的初期化時に記録されているファイル管理領域（ＬＢＮ＝０〜９９）に続く領域（ＬＢＮ＝１００）に前記ダミーファイルのファイル管理情報を記録してダミーファイルの領域を確保したが、このステップは、ダミーファイルのファイル管理情報を、ファイル管理領域に続く領域に記録してダミーファイルの領域を確保することに限定されるものでない。
【００５７】
なお、上記の（実施の形態１）では、論理的初期化済みの状態である前記ディスクの未記録領域に前記ダミーファイルと前記ダミーファイルのファイル管理情報を記録するステップは、前記ディスクの論理的な初期化の直後に行ったが、初期化の直後にダミーファイルを作成を実行せずに、ダミーファイルのサイズを（最大ファイル数−１）で作成を実施するには、まず、挿入された初期化済みディスクの再初期化を行わず、且つダミーファイルが存在しない条件で、ダミーファイルを作成する。
【００５８】
この場合、本発明を用いた装置または他の装置で初期化のみを行ったディスクを後に本発明を用いた装置挿入した場合には、初期化済みであることを認識し、初期化は行わず、作成後の手順は（実施の形態１）に従う。
【００５９】
他の装置で初期化後、何らかの記録を行いファイルが存在するディスクを、後に本発明を用いた装置に挿入した場合、既に記録済みファイルを認識し、既に記録済みファイル関する情報一切変更することなく、残りの空き領域に（実施の形態１）の方法を用いることも出来る。
【００６０】
（実施の形態２）
上記の（実施の形態１）では、使用するディスクの容量に応じて最大記録ファイル数を仮に“４００”とした場合を例に挙げて説明し、この場合のダミーファイルの数は最大記録ファイル数“４００”より“１”ファイル数引いた“３９９”ブロック分を、一つのダミーファイルの記録領域として割り当て記録済み領域として確保し、図５に示すようにＦ１ファイル〜Ｆ３９９ファイルを記録済みの状態では、ファイル管理情報にはダミーファイルは記録領域を持たないファイルとして記録されたが、この（実施の形態２）では最大記録ファイル数より“１”ファイル数引いたブロック分を、記録済みの状態でも、ファイル管理情報にはダミーファイルに記録領域が残されている場合を説明する。
【００６１】
初期化した直後の光ディスクの記録状態は図２（ａ）と同じで、領域全体の使用状況を記録した情報と、ルートディレクトリに関する情報などが含まれ、ファイルは一つも記録されておらず、仮にＬＢＮ＝０からＬＢＮ＝９９までの領域に記録されている。続く論理ブロック値＝１００からの領域は未記録領域である。
【００６２】
ここで、本実施例で使用するディスクの最大記録ファイル数を仮に“１０００”とする。また、基本となるファイル管理システムが、領域全体の使用状況を表す単位をＬＢＮ（Ｌｏｇｉｃａｌ  Ｂｌｏｃｋ  Ｎｕｍｂｅｒ）とし、１つのファイルの管理情報を記録するためには、仮に常に１ＬＢＮブロック必要とするものとする。よって、このディスクでの最大記録ファイル数のファイル管理情報記録に必要なＬＢＮブロック数は“１０００”となる。
【００６３】
次に、図６（ａ）を用いて、ダミーファイルの作成手順を説明する。
まず、仮に未記録領域の先頭のＬＢＮ＝１００ブロックをダミーファイルに関するファイル管理領域とし、続くＬＢＮ＝１０１からＬＢＮ＝１０００の最大記録ファイル数１０００ブロック分を、一つのダミーファイルの記録領域として割り当て記録済み領域とするため、前記にてファイル管理領域としたＬＢＮ＝０からＬＢＮ＝９９の領域内にはディスク領域全体の使用状況を表すディスク領域使用状態情報が記録されており、このディスク領域使用状態情報をダミーファイルとした領域であるＬＢＮ＝１０１からＬＢＮ＝１１００を記録済み領域に更新し、そしてＬＢＮ＝１００にあるダミーファイルの管理情報中の使用領域情報をＬＢＮ＝１０１からＬＢＮ＝１１００を記録済みに更新する。そして、ダミーファイルに続く論理ブロック値＝１１０１以降の領域が未記録領域になる。
【００６４】
図６（ａ）の状態から、仮にＧ１というファイルを作成する時の手順を、図６（ｂ）を用いて説明する。
まず、Ｇ１のファイル管理情報を作成し、Ｇ１ファイルの記録が始めると、未記録領域の先頭の論理ブロック値＝１１０１から連続した領域にデータの記録を行い、記録が終了した時点でＧ１ファイルの管理情報が確定する。そして、ここでは仮にダミーファイルの領域で最小ＬＢＮブロックであるＬＢＮ＝１０１のブロックをダミーファイルの領域から一旦解放することにより、ダミーファイルのサイズを１ブロック分解放し、解放され未録領域にしたブロックをファイル管理情報領域として、Ｇ１ファイルの管理情報を記録する。
【００６５】
上記をさらにファイル管理情報とダミーファイルの管理情報の変化について詳しく説明すると、ＬＢＮ＝１００にあるダミーファイルの管理情報中の使用領域情報からＬＢＮ＝１０１を未記録領域にし、そして前記にてファイル管理領域としたＬＢＮ＝０からＬＢＮ＝９９の領域内に記録されているディスク領域全体の使用状況を表すディスク領域使用状態情報が記録されており、このディスク領域使用状態情報にダミーファイルとした領域であるＬＢＮ＝１０１は未記録領域となる様に更新する。Ｇ１ファイルの記録が始めると、未記録領域の先頭の論理ブロック値＝１１０１から連続した領域にデータの記録を行い、記録が終了した時点でＧ１ファイルの管理情報が確定する。Ｇ１ファイルの管理情報を作成し、その管理情報をＬＢＮ＝１０１に記録する。そして、前記ディスク領域使用状態情報にＬＢＮ＝１０１は記録済み領域とし、また、Ｇ１ファイルのデータ部が記録した領域を記録済み領域として更新し、そしてダミーファイルの管理情報中の使用領域情報をＬＢＮ＝１０２からＬＢＮ＝１１００が記録済み領域になる様に更新する。そして、前記ディスク領域使用状態情報にＬＢＮ＝１０２は記録済み領域とする。
【００６６】
さらに続けて、データファイルの作成を繰り返し全部で仮に最大記録ファイル数である９９９個のファイルを記録した場合のファイル管理領域及びダミーファイルの記録領域を図６（ｃ）に示す。図６（ｂ）を用いたファイル生成時の説明と同様に、それぞれ新たに作成されたＧ２からＧ９９９のファイル管理情報がダミーファイル領域の最小ＬＢＮブロックから順次記録する。
【００６７】
この場合、記録ファイル数にダミーファイルも含まれるため、ダミーファイル以外のデータファイル数は１０００ファイルとなり、ダミーファイル領域はＬＢＮ＝１１００のブロックのみになる。よって本実施の形態において記録されたダミーファイルの領域の最大ＬＢＮは常に１０００になる。
【００６８】
このように最大記録ファイル数である９９９個のファイルを記録した場合であってもＬＢＮ＝１１００の１個のダミーファイルが残されるため、一度最大ファイル数を記録された後、ディスクを一度装置からディスクを排出して、また挿入してもダミーファイルの管理情報の有り無しを検出でき、新たに認識したディスクにダミーファイルが存在すれば、継続してファイル管理情報のための領域を一連続した領域に確保可能であり、ファイル情報検索時のディスクアクセス効率低下を防止できる。
【００６９】
なお、初期化に続いて自動的に実行されるダミーファイルの作成にあっては、この図６（ａ）に記載のダミーファイルの領域には何かのデータを記録されたかの様に見えるが本発明においてはなんらかのデータを記録しても良いし、何も記録しなくすることも可能である。
【００７０】
また、本実施の形態において記録されたダミーファイルのファイル管理情報に記載されるファイル属性やファイル名を、一般利用者から容易に参照または変更できないものを設定することも可能である。例えばファイル名に「このファイルは削除しないでください」等の警告を表示が出る様に本発明のダミーファイルの生成を行う。また例えば、ファイル名に使用する文字コードに特殊な文字コードを記録することで、利用者からは参照できなくしたり、ダミーファイルのファイル管理情報内の利用者権限情報を特定利用者以外は参照できないよう記録したりすることにより、本発明の一実施の形態で示す以外のディスク記録再生装置において本発明を実施したディスクが使用された場合にダミーファイル領域の確保ができる。
【００７１】
また、本発明の一実施の形態で示すディスク記録再生装置に、ディスクの挿入が認識された場合、ディスクのダミーファイルの有無を調べ、ダミーファイルの管理情報にあるダミーファイル領域の最大ＬＢＮを調べ、その結果をユーザーインターフェイス手段に通知することにより、ダミーファイルが無い場合や最大ＬＢＮが異なる場合には、他の記録装置によってダミーファイルが消去または変更されている可能性があることを利用者に知らせることができる。
【００７２】
なお、本発明の構成はパソコンと情報記録再生装置と本発明の方法を用いたアプリケーションでも実施可能である。詳しくは、図１の入出力処理手段１２と、ファイル管理システム手段１３と、ユーザーインターフェイス手段１４とを、前記パソコンによって実現することを目的として、パソコンにディスク記録再生手段１１として機能できる光ディスクドライブを接続し、本発明の方法を実施するに必要なプログラムが記録された記録媒体を、前記光ディスクドライブにセットし、記録媒体から読み取ったプログラムを前記パソコンが実行して、前記パソコンが入出力処理手段１２，ファイル管理システム手段１３，ユーザーインターフェイス手段１４を実現する。
【００７３】
上記の説明では、本発明の方法を実施するに必要なプログラムが記録された記録媒体を読み上げた光ディスクドライブを、デジタル画像等のＡＶデータを記録再生するディスク記録再生手段１１とする場合を例に挙げて説明したが、本発明の方法を実施するに必要なプログラムが記録された記録媒体を読み上げた光ディスクドライブとは別に、前記パソコンに接続されたディスク記録再生手段１１を対象として本発明の方法を実施するように構成することもできる。
【００７４】
【発明の効果】
以上説明したように本発明によれば、ディスクの論理的な初期化後のディスク上にダミーファイルを作成し、新規ファイルが追加される度にファイル管理情報を常にダミーファイルの領域から割り当てることで、一般的にコンピュータで利用されるファイル管理システムの下に領域予約が実現できるため、当該発明を使用したディスクを容易にコンピュータで利用でき、またコンピュータでの使用時におけるファイル管理領域の分断の低減ができるため、ディスクアクセス性能の低下の防止が見込まれる。また、ダミーファイルに一般利用者からは削除や参照できない属性やファイル名を設定することで、不用意なコンピュータ操作によるダミーファイルの削除が防止できる。
【図面の簡単な説明】
【図１】本発明の実施の形態１にかかるブロック図
【図２】（ａ）はディスクを論理的に初期化した記録状態を模式的に示した図
（ｂ）は論理的に初期化しただけのディスクにダミーファイルを記録した記録状態を模式的に示した図
【図３】（ａ）は図２（ｂ）と同じ模式図
（ｂ）は１つのファイルを記録した記録状態を模式的に示した図
（ｃ）は複数のファイルを記録した記録状態を模式的に示した図
【図４】（ａ）は図３（ｃ）と同じ模式図
（ｂ）は２つのファイルを削除した記録状態を模式的に示した図
【図５】最大記録ファイル数を記録した記録状態を模式的に示した図
【図６】（ａ）は論理的に初期化しただけのディスクにダミーファイルを記録した記録状態を模式的に示した図
（ｂ）は１つのファイルを記録した記録状態を模式的に示した図
（ｃ）は最大記録ファイル数を記録した記録状態を模式的に示した図
【符号の説明】
１１  ディスク記録再生手段
１２  入出力処理手段
１３  ファイル管理システム手段
１４  ユーザーインターフェイス手段
【図１】
2004302704.tif 000003
【図２】
2004302704.tif 000004
【図３】
2004302704.tif 000005
【図４】
2004302704.tif 000006
【図５】
2004302704.tif 000007
【図６】
2004302704.tif 000008